(57)【要約】【課題】保水性が良く、根の繁茂が自由であり、連設して設置した場合、風による浮き上がりを防止した植栽用パレットを提供することを目的とする。【解決手段】植栽用パレット１において、底面２に接地用の複数の突起３を形成して底部通路４を形成し、側壁５の外面に前記底部通路４に連通する切欠き部６を形成し、内部底面７に千鳥状に側壁の高さの約１／２の高さでその底面の位置が内部底面とほぼ同じである保水部１１を複数形成し、さらに内部底面に十字状の補強リブ８を形成することを特徴とする。【選択図】    図１
2004275009.tif 000002
【特許請求の範囲】
【請求項１】
底面に接地用の複数の突起を形成して設置面との間に底部通路を形成し、側壁外面に前記底部通路に連通する切欠き部を形成し、内部底面に千鳥状に側壁の高さの約１／２の高さでその底面の位置が内部底面とほぼ同じである保水部を複数形成し、さらに内部底面に十字状の補強リブを形成することを特徴とする植栽用パレット。
【請求項２】
前記植栽用パレットの内部底面に複数の排水口を形成し、前記排水口に着脱自在にフィルターを設置することを特徴とする請求項１に記載の植栽用パレット。
【請求項３】
前記保水部の上端に複数の溝部を形成することを特徴とする請求項１又は２に記載の植栽用パレット。
【請求項４】
前記内部底面に前記十字状の補強リブ、保水部、側壁内面に囲まれた底部保水部を形成することを特徴とする請求項１〜３のいずれか１項に記載の植栽用パレット。
【請求項５】
前記側壁の上端部に植栽用の間隔目盛りとしての突起を所定間隔に形成することを特徴とする請求項１〜４のいずれか１項に記載の植栽用パレット。
【請求項６】
前記側壁の外面に所定深さの縦溝を形成し、前記縦溝の上端に目印付き薄膜カバーを一体に形成することを特徴とする請求項１〜５のいずれか１項に記載の植栽用パレット。
【請求項７】
前記底面のコーナー部に連結用中空支柱を立設したベース部材が嵌合する凹部を形成したことを特徴とする請求項１〜６のいずれか１項に記載の植栽用パレット。
【請求項８】
前記植栽用パレットを複数連結して配置し、隣接する植栽用パレトの側壁外面に形成した切欠き部を底部通路と連通する通気路とし、側壁外面に形成した切溝を散水具等の保持孔とすることを特徴とする請求項１〜７のいずれか１項に記載の植栽用パレット。
【請求項９】
前記側壁外面に外壁材を着脱自在に取り付けることを特徴とする請求項１〜８のいずれか１項に記載の植栽用パレット。
【発明の詳細な説明】
【０００１】
【発明の属する技術分野】
本発明は、建物の屋上等の人工地盤、公園等の場所に単独又は複数連設して設置する植栽用パレットに関する。
【０００２】
【従来の技術】
従来、草花等を植栽するための箱形の植栽用ボックスとして、特開２０００−２３５６８号公報（以下、「従来例１」という。）には、内部底面から所定高さの複数の支柱を立設し、ボックスの補強をすると同時に、ボックス内に充填される土壌を拘束しその移動を制限するようにし、ボックスが傾斜した状態で設置されても保水機能を保たせるために、排水口を内部底面より所定高さの位置に設置したものが開示されている。
また、特開２００２−５１６４３号公報（以下、「従来例２」という。）には、草花等を植栽するための植栽用ボックスとして、内部底面から高さ及び面積の異なる複数の保水部を立設し、前記保水部の底面の位置を前記内部底面の位置より高い位置とし、前記内部底面に排水口を設けたものが開示されている。
【０００３】
【特許文献１】
特開２０００−２３５６８号公報
【特許文献２】
特開２００２−５１６４３号公報
【０００４】
【発明が解決しようとする課題】
しかし、従来例１のものは、排水口の位置が、内部底面から高い位置にあるため、排水性が悪く、植物の根腐れの原因となり、さらに、複数の支柱が植物の根の繁茂の邪魔になるという問題点を有していた。さらに、複数の植栽用ボックスを連設して設置した場合、植栽用ボックスの底面に形成した排水等のための底部通路に風による風圧が侵入し、植栽用ボックスが浮き上がるという問題が発生する。
また、従来例２のものは、保水部の高さが高く、植物の根の繁茂の邪魔になり、保水部の底面が内部底面の位置より高いため保水量が少ないため多数の保水部を必要とする問題点を有していた。さらに、複数の植栽用ボックスを連設して設置した場合、植栽用ボックスの底面に形成した排水等のための底部通路に風による風圧が侵入し、植栽用ボックスが浮き上がるという問題が発生する。
【０００５】
本発明は、前記従来技術の問題を解決した、保水性が良く、根の繁茂が自由であり、連設して設置した場合、風による浮き上がりを防止した植栽用パレットを提供することを目的とする。
【０００６】
【課題を解決するための手段】
本第１発明は、前記課題を解決するために、植栽用パレットにおいて、底面に接地用の複数の突起を形成して設置面との間に底部通路を形成し、側壁外面に前記底部通路に連通する切欠き部を形成し、内部底面に千鳥状に側壁の高さの約１／２の高さでその底面の位置が内部底面とほぼ同じである保水部を複数形成し、さらに内部底面に十字状の補強リブを形成することを特徴とする。
【０００７】
本第２発明は、本第１発明の植栽用パレットにおいて、前記植栽用パレットの内部底面に複数の排水口を形成し、前記排水口に着脱自在にフィルターを設置することを特徴とする。
【０００８】
本第３発明は、本第１又は第２発明の植栽用パレットにおいて、前記保水部の上端に複数の溝部を形成することを特徴とする。
【０００９】
本第４発明は、本第１〜第３発明のいずれか１つの発明の植栽用パレットにおいて、前記内部底面に前記十字状の補強リブ、保水部、側壁内面に囲まれた底部保水部を形成することを特徴とする。
【００１０】
本第５発明は、本第１〜第４発明のいずれか１つの発明の植栽用パレットにおいて、前記側壁の上端部に植栽用の間隔目盛りとしての突起を所定間隔に形成することを特徴とする。
【００１１】
本第６発明は、本第１〜第５発明のいずれか１つの発明の植栽用パレットにおいて、前記側壁の外面に所定深さの縦溝を形成し、前記縦溝の上端に目印付き薄膜カバーを一体に形成することを特徴とする。
【００１２】
本第７発明は、本第１〜第６のいずれか１つの発明の植栽用パレットにおいて、前記底面のコーナー部に連結用中空支柱を立設したベース部材が嵌合する凹部を形成したことを特徴とする。
【００１３】
本第８発明は、本第１〜第７のいずれか１つの発明の植栽用パレットにおいて、前記植栽用パレットを複数連結して配置し、隣接する植栽用パレトの側壁外面に形成した切欠き部を底部通路と連通する通気路とし、側壁外面に形成した縦溝を散水具等の保持孔とすることを特徴とする。
【００１４】
本第９発明は、本第１〜第８のいずれか１つの発明の植栽用パレットにおいて、前記側壁外面に外壁材を着脱自在に取り付けることを特徴とする。
【００１５】
【作用】
本発明の植栽用パレットの内部底面に千鳥状に側壁の高さの約１／２の高さでその底面の位置が内部底面のほぼ同じである保水部を形成するという構成により、保水部の高さ低くし植物の根の繁茂に邪魔になることなく、十分な保水量を確保した植栽用パレットを提供できる。
植栽用パレットの底面に接地用の複数の突起を形成して設置面との間に底部通路を形成し、側壁外面に前記底部通路に連通する切欠き部を形成するという構成により、複数の植栽用パレットを連設して設置する場合、底部通路に進入した風による風圧が側壁外面に形成した切欠き部により形成される通気路から外部に排出され植栽用パレットの風による浮き上がりを防止する。
植栽用パレットの内部底面に複数の排水口を形成し、前記排水口に着脱自在にフィルターを設置するという構成により、排水に伴う植栽用パレット内の土壌の排水口からの流出を防止するとともに、フィルターが目詰まりした場合、フィルターの交換又は取り外しての洗浄が容易になる。
植栽用パレットの保水部の上端に複数の溝部を形成するという構成により、保水部近傍の植物の根の繁茂を阻害することなく、保水部からの周囲土壌中への水分の補給を容易にする。
内部底面に十字状の補強リブ、保水部、側壁内面に囲まれた底部保水部を形成する構成により、保水部の他に第２の保水部が形成されるので保水性のよい植栽用パレットとなる。
植栽用パレットの側壁の上端部に植栽用の間隔目盛りとしての突起を形成するという構成により、植栽用パレットに草花等を植え付ける際、精確な間隔で植付けが可能となる。
植栽用パレットの底面のコーナー部に連結用中空支柱を立設したベース部材が嵌合する凹部を形成することにより、複数の植栽用パレットを連設する際、しっかりと連設することが可能となる。
側壁の外面に所定深さの縦溝を形成し、前記縦溝の上端に目印付き薄膜カバーを一体に形成する構成により、複数の植栽用パレットを連設して設置する場合、上部の目印付きカバーを破って縦溝を散水具等の保持孔として使用可能となる。
植栽用パレットの側壁外周に外壁材を着脱自在に取り付けるという構成により、見栄えのよい植栽用パレットとすることができる。
【００１６】
【発明の実施の形態】
本発明の実施の形態を図により説明する。図１は、本発明の植栽用パレットの平面図であり、図２は側面図であり、図３は、底面図であり、図４の左側部分は図１のＡ−Ａ線の断面図であり、右側部分はＢ‐Ｂ線の断面図である。図５及び図６はベース部材と連結具を示す概略図である。
【００１７】
植栽用パレット１は、矩形形状の容器に形成される。その底面２には複数の接地用突起３が形成され、接地面と植栽用パレット１の底面２との間に排水等のための底部通路４が確保される。植栽用パレット１の側壁５の外面には、底部通路４と連通する切欠き部６が形成される。前記切欠き部６は、複数の植栽用パレット１を連設して使用する場合、底部通路に侵入した風による風圧を切欠き部６により形成される通気路から排気し、強風による植栽用パレット１の浮き上がりを防止する。
側壁内面１０には複数の凹凸が連続して形成され、植栽用パレット１内に充填される土壌を拘束すると共に、土壌中へ空気を供給する機能を有する。
【００１８】
植栽用パレット１の内部底面７には、千鳥状に複数の矩形状の保水部１１が立設される。保水部１１の高さは側壁５の高さの約１／２とされ、保水部１１の底面１２は、内部底面７とほぼ同じ高さとする。保水部１１の上端のコーナ部には溝１３が形成される。保水部１１の高さを側壁５の高さの約１／２としたのは、高さが高いと植物の根の繁茂を阻害すからであり、保水部１１の底面１２の位置を内部底面７の位置とほぼ同じ位置としたのは、保水部１１の高さを低く設定しても保水能力を低下させないためである。保水部１１の上端の溝１３は、保水部１１から周囲土壌中への水分の供給を容易にすると共に、植物の根の繁茂を促進するためのものである。
また、内部底面７には、十字状の補強リブ８が形成され、植栽用パレットを補強すると共に、十字状の補強リブ８、側壁内面１０、保水部１１により内部底面７に複数の底部保水部９を形成し、前記保水部１１による保水と、底部保水部による保水により、保水性のよい植栽用パレット１とすることができる。
【００１９】
植栽用パレット１の内部底面７には、外部に連通する複数の排水口１４を形成する。排水口１４には、着脱自在なフィルター１５を設置する。図において排水口１４は、植栽パレット１の内部底面７の辺部に配置されているが、内部底面７の中央部に配置しても良く、排水口１４の数も植栽用パレット１の大きさに応じて設定される。
フィルター１５を着脱自在とすることにより、目詰まりしたフィルター１５の交換や、取り外しての洗浄が容易となる。
また、植栽用パレット１の側壁５の上部に一定間隔毎に目盛り突起１６を形成する。この目盛り突起１６は、植栽用パレット１に土壌をいれ、植物を植え付ける際の目盛りとして機能する。
【００２０】
植栽用パレット１の側壁５の外面には所定長さの縦溝１７が形成され、その上端には目印付き薄膜カバー２６が一体に形成される。この縦溝１７は、植栽用パレット１を連設して設置した場合、散水用具等を保持する保持孔として機能する。
【００２１】
植栽用パレット１の底面２のコーナ部には凹部１８が形成される。この凹部１８には、図５及び図６に示される中空支柱１９を立設したベース部材２０が係合する。隣接する４個の植栽用パレット１の側壁５を係止する４本の係止腕２１を有する連結具２２の中央突起２３を前記中空支柱１９に挿入し、抜け止めピン２４を連結具２２の中央に挿入することにより、容易に植栽用パレット１をしっかりと連設することができる。
【００２２】
図７に示されるように、複数の植栽用パレット１を連設して設置する場合、外側に位置する植栽用パレット１の側壁５の外面に、木材等で形成された外壁材２５を着脱自在に取り付けることにより、側壁５を保護するとともに、景観をよくする。外壁材２５は、植栽用パレット１を単独で使用する場合に使用してもよい。また、外壁材２５を木製とすると、自然に近い感じが出せ、長期間使用後に廃棄する場合、有害廃棄物でないので処理が容易であるので好ましい。
【００２３】
植栽用パレット１は、発泡ポリプロピレンにより一体成形され、軽量で、断熱性、保温性、防水性、防カビ性に優れている。しかし、本発明は、発泡ポリプロピレンに限定されるものではなく、木材や他の樹脂等の材料で形成してもよく、その形状も矩形に限定するものでなく、円形、他の多角形であっても良い。
【００２４】
【発明の効果】
本発明の植栽用パレットの内部底面に千鳥状に側壁の高さの約１／２の高さでその底面の位置が内部底面のほぼ同じである保水部を形成するという構成により、保水部の高さ低くし植物の根の繁茂に邪魔になることなく、十分な保水量を確保した植栽用パレットを提供できる。
植栽用パレットの底面に接地用の複数の突起を形成して底部通路を形成し、側壁外面に前記底部通路に連通する切欠き部を形成するという構成により、複数の植栽用パレットを連設して設置する場合、底部通路に進入した風による風圧が側壁外面に形成した切欠き部により形成される空気通路から外部に排出され植栽用パレットの風による浮き上がりを防止する。
植栽用パレットの内部底面に複数の排水口を形成し、前記排水口に着脱自在にフィルターを設置するという構成により、排水に伴う植栽用パレット内の土壌の排水口からの流出を防止するとともに、フィルターが目詰まりした場合、フィルターの交換又は取り外しての洗浄が容易になる。
植栽用パレットの保水部の上端に複数の溝部を形成するという構成により、保水部近傍の植物の根の繁茂を阻害することなく、保水部からの周囲土壌中への水分の補給を容易にする。
内部底面に十字状の補強リブ、保水部、側壁内面に囲まれた底部保水部を形成する構成により、保水部の他に第２の保水部が形成されるので保水性のよい植栽用パレットとなる。
植栽用パレットの側壁の上端部に植栽用の間隔目盛りとしての突起を形成するという構成により、植栽用パレットに草花等を植え付ける際、精確な間隔で植付けが可能となる。
植栽用パレットの底面のコーナー部に連結用中空支柱を立設したベース部材が嵌合する凹部を形成することにより、複数の植栽用パレットを連設する際、しっかりと連設することが可能となる。
側壁の外面に所定深さの切溝を形成し、前記切溝の上端に目印付き薄膜カバーを一体に形成する構成により、複数の植栽用パレットを連設して設置する場合、上部の目印付き薄膜カバーを破って切溝を散水具等の保持孔として使用可能となる。
植栽用パレットの側壁外周に外壁材を着脱自在に取り付けるという構成により、見栄えのよい植栽用パレットとすることができる。
【図面の簡単な説明】
【図１】本発明の一実施形態の平面図。
【図２】本発明の一実施形態の側面図。
【図３】本発明の一実施形態の底面図。
【図４】図１のА−Ａ、Ｂ−Ｂ切断線の断面図。
【図５】本発明の連結具を示す概略図。
【図６】本発明の連結具を示す概略図。
【図７】本発明の植栽用パレットを連接した状態を示す概略図。
【符号の説明】
１：植栽用パレット
２：底面
３：接地用突起
４：底部通路
５：側壁
６：切欠き部
７：内部底面
８：十字状の補強リブ
９：底部保水部
１０：側壁内面
１１：保水部
１２：保水部の底面
１３：溝
１４：排水口
１５：フィルター
１６：目盛り突起
１７：縦溝
１８：凹部
１９：中空支柱
２０：ベース部材
２１：係止腕
２２：連結金具
２３：中央突起
２４：抜け止めピン
２５：外壁材
２６：目印付き薄膜カバー
【図１】
2004275009.tif 000003
【図２】
2004275009.tif 000004
【図３】
2004275009.tif 000005
【図４】
2004275009.tif 000006
【図５】
2004275009.tif 000007
【図６】
2004275009.tif 000008
【図７】
2004275009.tif 000009